(57)【要約】【課題】本発明は、生体刺激治療などに用いられる生体刺激用パッドを、目視不可部位に電極を正確、かつ、短時間で配置させることを目的とする。【解決手段】そして、この目的を達成するために本発明の生体刺激用パッド１は、可撓性を有する基材シート４と、前記基材シート４上に所定間隔を離して配置された第１、第２電極６ａ、６ｂと、前記基材シート４を貫通して設けられた接触確認孔として第１孔１０、第２孔１１と、を有する。【選択図】図１
2013063136.tif 000002
【特許請求の範囲】
【請求項１】
可撓性を有する基材シートと、
前記基材シート上に所定間隔を離して配置された第１、第２電極と、
前記基材シートを貫通して設けられた接触確認孔と、
を有する生体刺激用パッド。
【請求項２】
前記第１、第２電極間の中心線上で、前記第１、第２電極の外方の一端側と他端側に２つ以上の接触確認孔を形成した請求項１の生体刺激用パッド。
【請求項３】
前記２つの接触確認孔のうち、一方の孔が、尾てい骨を接触確認するための孔である請求項２に記載の生体刺激用パッド。
【請求項４】
前記２つの孔のうち、他方の孔が、背骨を接触確認するための孔である請求項２および３に記載の生体刺激用パッド。
【請求項５】
前記他方の孔が、前記中心線に対して対称となるように２つ形成されている請求項４に記載の生体刺激用パッド。
【請求項６】
請求項１から５のいずれかに記載された生体刺激用パッドと、
前記生体刺激用パッドに設けられている端子部に、
コードを介して接続された操作部と、を備えた生体刺激装置。
【発明の詳細な説明】
【技術分野】
【０００１】
本発明は、例えば、排尿障害などの生体刺激治療を行う際に使用する生体刺激用パッドとそれを備えた生体刺激装置に関するものである。
【背景技術】
【０００２】
従来、この種の生体刺激用パッドは、基材シートと、その基材シート上に設けられた電極と、接続端子とを有したものが多く、特定の刺激治療や心電図測定などの目的に応じて、医師や専門家が、身体の特定部位に基材シートを装着するようになっていた。
【０００３】
近年、家庭用装置などの普及により、一般家庭でも生体刺激装置などを使用することになってきたので、一般の使用者でも、生体刺激用パッドの装着部位を特定することができるような工夫がなされている。
【０００４】
すなわち、一般の使用者でも、生体刺激用パッドを装着する特定部位を容易に認識することができるようにするために、基材シートに、貼付位置指示マークを設けた構造となっていた（例えば、特許文献１参照）。
【先行技術文献】
【特許文献】
【０００５】
【特許文献１】特開２０００−１２６１４５号公報
【発明の概要】
【発明が解決しようとする課題】
【０００６】
上記従来例においては、基材シート上に貼付位置指示マークを設けることで、一般の使用者でも、身体の適正な特定部位に、基材シートを簡単に装着することができるようになった。
【０００７】
しかし、このような構成とした場合、目視確認できる範囲に、配置すべき特定部位が存在すれば良いが、その特定部位が、目視確認不可であった場合、例えば腰や背中等であった場合には、基材シートを適切な特定部位に正しく装着することが難しく、使い勝手の悪いものであった。
【０００８】
そこで、本発明は、使い勝手を良くすることを目的とするものである。
【課題を解決するための手段】
【０００９】
そして、この目的を達成するために本発明の生体刺激用パッドは、可撓性を有する基材シートと、前記基材シート上に所定間隔を離して配置された第１、第２電極と、前記基材シートを貫通して設けられた接触確認孔とを有する構成とし、これにより、所期の目的を達成するものである。
【発明の効果】
【００１０】
以上のごとく、本発明の生体刺激用パッドは、可撓性を有する基材シートと、前記基材シート上に所定間隔を離して配置された第１、第２電極と、前記基材シートを貫通して設けられた接触確認孔とを有する構成としたものであるので、極めて使い勝手の良いものとなる。
【００１１】
すなわち、本発明においては、前記基材シートを貫通して設けられた接触確認孔を設けているので、使用者が、その接触確認孔を貫通させて、自らの指にて貼付基準となる部位を触ることで、基材シートを配置すべき適切な特定部位を簡単に探し出すことができるようになる。
【００１２】
このため、適切な特定部位に、基材シートを簡単に装着することが出来るようになり、極めて使い勝手の良いものとなるのである。
【図面の簡単な説明】
【００１３】
【図１】本発明の実施の形態１における生体刺激装置を示す平面図。
【図２】本発明の実施の形態１における生体刺激用パッドを示す平面図。
【図３】本発明の実施の形態１における生体刺激用パッドを特定部位に装着した状態を示す図。
【図４】本発明の実施の形態２における生体刺激用パッドを示す平面図。
【発明を実施するための形態】
【００１４】
以下に、本発明の生体刺激用パッドおよびそれを備えた生体刺激装置の実施の形態を図面とともに詳細に説明する。
【００１５】
（実施の形態１）
本実施の形態１においては、生体刺激用パッドおよびそれを備えた生体刺激装置の一例として、排尿障害を治療するために、腰の深部にある排尿を調節する神経に対して、仙骨部の仙骨孔から電気刺激を与えるために用いる生体刺激用パッドおよびそれを備えた生体刺激装置について説明する。
【００１６】
図１において、１は、生体刺激用パッドであり、コード２を介して操作部３と接続されており、これらの生体刺激用パッド１、コード２、操作部３により生体刺激装置が構成されている。
【００１７】
また、生体刺激用パッド１は、可撓性を有する平板状の基材シート４と、この基材シート４に配置されるとともに、前記コード２が接続されている端子部５（下記端子部５ａ、５ｂにより構成）と、この基材シート４に配置されるとともに、端子部５に接続された電極６（下記電極６ａ、６ｂにより構成）とにより構成されている。
【００１８】
この生体刺激用パッド１は、図２に示すように、ほぼ長方形であり、一端側に凸部７を有する形状である基材シート４により構成されている。
【００１９】
また、基材シート４の他端側には、２つの端子部５ａ、５ｂが、基材シート４の長手方向に直交する方向に、所定間隔をおいて配置されている。
【００２０】
そして、基材シート４の長手方向の一端側の凸部７と、他端側の端子部５ａ、５ｂの間には、一対の電極６ａ、６ｂを、基材シート４の長手方向に直交する方向に、所定間隔をおいて配置している。
【００２１】
一対の電極６ａ、６ｂは、短絡を防止するために隙間部８を有し、この隙間部８を挟んで左右対称となるように配置されている。なお、隙間部８は、望ましくは、１ｃｍから２ｃｍの空間隙間とすることが好ましい。
【００２２】
また、その隙間部８間の基材シート４には、電極６ａ、６ｂと同じ長さであるスリット９が形成されている。
【００２３】
このスリット９が形成することにより、例えば、一方の電極６ａが凹部、他方の電極６ｂが凸部に貼り付けられたとしても、一対の電極６ａ、６ｂ部分が貼付面から剥がれることなく、また、密着させることができる。
【００２４】
なお、基材シート４の貼付面への接着手段は、周知のものを用いている。
【００２５】
基材シート４の一端側に形成されている凸部７には、接触確認孔として貫通孔よりなる第１孔１０が形成されており、また基材シート４の他端側に配置されている端子部５ａと端子部５ｂの間には、接触確認孔として貫通孔よりなる第２孔１１が形成されている。
【００２６】
また、貫通孔よりなる第１孔１０と第２孔１１は、一対の電極６ａ、６ｂを左右対称に配置するための長方形状である基材シート４の長手方向中心線上に配置されている。
【００２７】
そして、この生体刺激用パッド１は、図３に示しているように、腰の深部にある排尿を調節する神経に対して、仙骨部１２の仙骨孔１３〜１６から電気刺激を与えるために、使用者の腰部特定位置に貼り付ける（装着される）。
【００２８】
ここで、使用者は、目視確認できない自らの腰部に生体刺激用パッド１を貼り付けるために、基材シート４に形成されている接触確認孔である第１孔１０および第２孔１１を用いる。
【００２９】
例えば、右手で生体刺激用パッド１を手に取り、貼付部位である腰部近傍に配置させ、第１孔１０に左手の中指を貫通させて、貫通させた中指を尾てい骨１７に接触させる。  
【００３０】
そして、貫通させた左手の中指を尾てい骨１７に接触させた状態で、生体刺激用パッド１を腰部近傍に配置させていた右手を一旦外し、第２孔１１に右手の中指を貫通させて、貫通させた右手の中指を背骨１８に接触させる。
【００３１】
この結果、尾てい骨１７と背骨１８とをつなぐ直線上に第１孔１０と第２孔１１が配置されることになり、使用者が目視確認できない自らの腰部特定位置に電極６ａ，６ｂを正確かつ容易に配置させることが可能となり、腰の深部にある排尿を調節する神経に対して、仙骨部１２の仙骨孔１３〜１６から電気刺激を与えることが可能となる。
【００３２】
さらに、貫通させた右手の中指を尾てい骨から離れる方向に移動させることで、生体刺激用パッド１にテンションを加えることが可能となり、複雑な表面形状である腰部に対して、生体刺激用パッド１を変形させることなく貼り付けることができ、貼り直しなどの作業がなく、短時間で生体刺激用パッド１を腰部に正しく配置させることができる。
【００３３】
また、治療効果を得るためには、腰部特定位置に生体刺激用パッド１を配置させる際に、電極６ａ、６ｂが、仙骨部１２の仙骨孔１３〜１６を覆うようにすることが肝要である。
【００３４】
そこで、電極６ａ、６ｂの大きさは、第１孔１０から他端側方向に向けて２ｃｍの隙Ａを設け、第２孔１１から一端方向に向けて２ｃｍの隙間Ｂを設けて基材シート４に電極６ａ、６ｂを配置させる。
【００３５】
その結果、図３に示されているように、電極６ａ、６ｂが、仙骨部１２の仙骨孔１３〜１６を覆う状態となり、より良い治療効果が得られる部位に生体刺激用パッド１を配置させることが可能となる。
【００３６】
（実施の形態２）
図４は、本発明の実施の形態２にかかる生体刺激用パッド２１を示し、この実施の形態では、基材シート４の他端側において、一端側の第１孔１９からの距離が同じとなる部分に第２孔２０ａ、２０ｂを２つ設けた構造としている。
【００３７】
具体的には、第２孔２０ａ、２０ｂは、一対の電極６ａ、６ｂを左右対称に配置するための長方形状である基材シート４の長手方向中心線を介して左右対称となる位置に配置されている。
【００３８】
つまり、他端側の第２孔２０ａ、２０ｂを設けたことにより、二本の指を第２孔２０ａ、２０ｂに貫通させて、背骨１８を二本の指で挟みこむように接触確認するので、目視確認できない部位に正確に貼り付けることが可能となる。
【産業上の利用可能性】
【００３９】
本発明の生体用電極パッドは、基材シートに接触確認孔とを設けたことを特徴としたものであり、目視不可部位において電極を正確かつ短時間で配置させることができ、その結果として、生体用目視不可部位に正確かつ短時間で装着することが出来、極めて使い勝手の良いものとなる。
【００４０】
したがって、本発明は、排尿障害治療などを行う際に使用する生体用電極パッドとそれを備えた生体刺激装置に活用することが期待されるものである。
【符号の説明】
【００４１】
１、２１  生体刺激用パッド
２  コード
３  操作部
４  基材シート
５、５ａ、５ｂ  端子部
６、６ａ、６ｂ  電極  
７  凸部
８  隙間部
９  スリット
１０、１９  第１孔
１１、２０ａ、２０ｂ  第２孔
１２  仙骨部
１３、１４、１５、１６  仙骨孔
１７  尾てい骨
１８  背骨
【図１】
2013063136.tif 000003
【図２】
2013063136.tif 000004
【図３】
2013063136.tif 000005
【図４】
2013063136.tif 000006